(57)【要約】【課題】  把持部が邪魔で狭い場所に収納が困難である。【解決手段】  血圧計本体２が正面側に表示部５、背面側にカフ収納部３を有し、カフ収納部３は、少なくとも正面側壁部３ａと、正面側壁部３ａより低い背面側壁部３ｂとを備え、正面側壁部３ａの上端部近傍に回動軸７を配設し、この回動軸７を中心に、正面側壁部３ａより上方に突出した第１の位置と、突出しない第２の位置とを移動自在な平板部材よりなる把持部材４を設ける。把持部材４には指を挿通可能な貫通穴４ｂが形成され、貫通穴４ｂは、把持部材４が第１の位置においては正面側壁部３ａより突出する。把持部材４が第２の位置においては、平板部材の平面と正面側壁部３ａの平面とが密接する。カフ収納部部の着脱操作は不要で、カフを収納したままで、把持部材の移動ができる。把持部材は邪魔にならず、狭いスペースに収納できる。【選択図】    図３
2005323779.tif 000002
【特許請求の範囲】
【請求項１】
正面側に表示部、背面側にカフ収納部を有する血圧計において、前記カフ収納部は、少なくとも正面側壁部と、背面側壁部とを備え、前記正面側壁部に、この正面側壁部より上方に突出した第１の位置と、突出しない第２の位置とを移動自在な把持部材を設けたことを特徴とする血圧計。
【請求項２】
前記把持部材の前記第１の位置と前記第２の位置との間の移動の方向は、前記正面側壁部から前記背面側壁部に向かう第１の方向に対して、略直交する第２の方向であることを特徴とする請求項１に記載の血圧計。
【請求項３】
前記把持部材は、前記第１の方向に対して略平行な回動軸によって前記正面側壁部に回動自在に取り付けられており、該把持部材を、その回動によって前記第２の方向に移動するようにしたことを特徴とする請求項２に記載の血圧計。
【請求項４】
前記回動軸を、前記正面側壁部の上端部近傍に取付けたことを特徴とする請求項３に記載の血圧計。
【請求項５】
前記把持部材に貫通穴を形成し、前記第１の位置では、前記貫通穴が指を挿通可能な状態で前記正面側壁部より上方に突出するようにしたことを特徴とする請求項３または４のいずれかに記載の血圧計。
【請求項６】
前記第２の位置から前記第１の位置へ回動させた把持部材を、前記第１の位置に位置決めする回動規制部を、前記血圧計に設けたことを特徴とする請求項３〜５のいずれか１項に記載の血圧計。
【請求項７】
前記把持部材は、前記第２の方向で、直線的な往復移動をすることを特徴とする請求項２に記載の血圧計。
【請求項８】
前記把持部材は平板部材から構成されるとともに、前記正面側壁部には平面が形成され、前記第２の位置では、前記平板部材の平面と前記正面側壁部の平面とが密接するようにしたことを特徴とする請求項１〜７のいずれか１項に記載の血圧計。
【請求項９】
前記背面側壁部よりも前記正面側壁部を高くしたことを特徴とする請求項１〜８のいずれか１項に記載の血圧計。
【発明の詳細な説明】
【技術分野】
【０００１】
本発明は、カフを収納するカフ収納部を具備した血圧計に関するものである。
【背景技術】
【０００２】
従来の血圧計には、血圧計本体にカフ収納部を一体に設けたものがある。この血圧計は、血圧測定時にはカフを腕に捲き付けて使用し、血圧計を使用しない時には、血圧計本体に一体に設けてあるカフ収納部にカフを収納しておくものである。（例えば、特許文献１参照）
【０００３】
この特許文献１に開示されている血圧計は、カフが血圧計本体に対して、着脱自在に取付けられると共に、カフを収納するカフ収納部も血圧計本体に対して着脱自在に取付けられるようになっている。このカフ収納部の着脱手段としては、スライド方式、面状ファスナー方式、フック係止方式またはビス螺着方式などが採用されている。前記カフ収納部には、把持部が一体に形成されており、血圧計本体にカフ収納部を取付けた状態においては、把持し易いように把持部は血圧計本体の背部から突出するように構成されている。
【特許文献１】特開２００２−３６９８０４号公報（第２〜３頁、図１〜図６）
【発明の開示】
【発明が解決しようとする課題】
【０００４】
上記したように、血圧計本体にカフ収納部を取付けた状態で把持部は血圧計本体の背部から突出しているので、把持部が邪魔になり、狭いスペースにそのまま収納できない。そのため、カフ収納部を血圧計本体から取り外すと、収納することは可能であるが、着脱操作が面倒である。また、取り外して置くことにより、使用時に一々取出して装着せねばならないので、煩わしい、などの問題があった。
【０００５】
本発明は、上述の欠点を解消するものであり、その目的は、カフ収納部が邪魔にならず、狭いスペースに収納でき、しかも把持部を持って持ち運びができる血圧計を提供するものである。
【課題を解決するための手段】
【０００６】
上記目的を達成するために、本発明における血圧計は、正面側に表示部、背面側にカフ収納部を有する血圧計において、前記カフ収納部は、少なくとも正面側壁部と、背面側壁部とを備え、前記正面側壁部に、この正面側壁部より上方に突出した第１の位置と、突出しない第２の位置とを移動自在な把持部材を設けたことを特徴とするものである。
【発明の効果】
【０００７】
本発明の血圧計は、正面側に表示部、背面側にカフ収納部を有する血圧計において、カフ収納部は、少なくとも正面側壁部と、背面側壁部とを備え、正面側壁部に、この正面側壁部より上方に突出した第１の位置と、突出しない第２の位置とを移動自在な把持部材を設けたため、血圧計を収納するときには、把持部材を正面側壁部から突出させないようにして狭いスペースに収納することができ、血圧計を持ち運ぶときには把持部材を正面側壁部から突出させて把持部を持って持ち運ぶことができる。使用者にとって使用し易い血圧計を提供することが可能である。
【発明を実施するための最良の形態】
【０００８】
本発明の血圧計について、図面に基づいて説明する。
【実施例１】
【０００９】
図１〜図９は、本発明の実施例１に係わり、図１は、血圧計の外観を示す斜視図、図２は、血圧計の右側面図、図３は、図１の血圧計の断面図、図４は、血圧計の正面図、図５は、血圧計の背面図、図６は、把持部材が第１の位置における正面図、図７は、図６の血圧計の背面図、図８は、把持部材の裏面図、図９は、図８の把持部材の矢印Ｄ側の側面図である。
【００１０】
図１〜図３において、血圧計は、腕に巻き付けて阻血するカフ１と、血圧を計測するための機器が収納されている血圧計本体２と、該血圧計本体２の背面側に形成されていて、前記カフ１が収納されるカフ収納部３と、該カフ収納部３の正面側壁部３ａに回動自在に軸着された把持部材４で構成される。
【００１１】
前記血圧計本体２は、図１に示すように、正面側は、前面が略卵形の球面状に形成され、上面側に矩形形状をした表示部５と、その下面側に電源・測定及びメモリースイッチなどの操作部６が配設されている。前記血圧計本体２の内部には、図示していないが、腕を圧迫するために腕に巻き付けられたカフ１に、可撓性のエアチューブを介して空気を送り込んで膨張させるゴム球などよりなるエアポンプと、血圧測定時に、カフ１に充填された空気を徐々に排気したり、血圧計測後に、カフ１に充填された空気を大気圧に開放したりするための排気弁などが収納されている。
【００１２】
前記カフ収納部３は、図３に示すように、断面が略U字形状をしており、前記血圧計本体２の背面において、正面側壁部３ａと、これに相対して背面側壁部３ｂが形成されていて、背面側壁部３ｂよりも正面側壁部３ａが高くなるように構成されている。この正面側壁部３ａの表面は平面になっている。血圧計を使用していない時は、カフ１は前記カフ収納部３に収納されている。
【００１３】
前記把持部材４は、図８及び図９に示すように、平板部材で、血圧計本体２の輪郭に対応するように、略扇形形状をしており、扇形の要部に相当する位置に軸穴４ａが形成されており、正面側壁部３ａの上端部近傍に取付けられた回動軸７に回動可能に挿嵌されている。この回動軸７は、正面側壁部３ａから背面側壁部３ｂに向かう方向に対して略平行に配置されている。さらに、扇形の円弧部分に沿って形成された指先が挿通できる大きさの貫通穴４ｂと、把持部材４の外縁の一部に、厚み方向の表裏に突出していて、把持及び回動規制の機能を有する回動規制部４ｃが形成されている。
【００１４】
把持部材４を回動させると、把持部材４が前記カフ収納部３を構成する正面側壁部３ａから背面側壁部３ｂに向かう方向に対して、略直交する方向に移動する。この把持部材４の回動によって、把持部材４を正面側壁部３ａより上方に突出する図３の二点鎖線や、図６，図７に示す第１の位置と、突出しない図１，図２，図４，図５に示す第２の位置に移動させることができる。この第２の位置においては、前記把持部材４の平面が前記正面側壁部３ａの平面と密接している。
【００１５】
前記把持部材４が正面側壁部３ａより上方に突出しない第２の位置の状態では、把持部材４の回動規制部４ｃの厚み方向の表裏に突出している内側壁４ｄが本体ケースの外縁に当接して回動（矢印Ａ方向と逆の方向）が規制される。（図５参照）すなわち、把持部材４が、図５に示した位置からＡの反対方向には回動しない。
また、把持部材４が図７に示した位置の状態では、把持部材４の回動規制部４ｃの内側壁４ｄが当本体ケースの外縁に接して回動（矢印Ａ方向）が規制される。すなわち、把持部材４が、図７に示した位置からＡ方向には回動しない。
【００１６】
把持部材４を第２の位置から、第１の位置に移動するときは、図４および図５のように
把持部材４が第２の位置で、カフ１がカフ収納部３に収納されたままで、把持部材４の回動規制部４ｃを摘み、矢印Ａ方向に回動させる。図６に示すように、把持部材４が正面側壁部３ａの上方に突出する第１の位置まで回動させると、把持部材４の貫通穴４ｂが正面側壁部３ａより上方に突出した状態になる。この状態で、貫通穴４ｂに指を挿通して、把持部材４を把持することができる。図６の状態から、さらに、Ａ方向に回動させると、図７に示すように、回動規制部４ｃの端部４ｅが血圧計本体２の外縁に当接して回動が規制され、それ以上回動しない。すなわち、把持部材４が第１の位置に位置決めされる。
【００１７】
把持部材４を第１の位置から、第２の位置に移動するときは、図６や図７のように、把持部材４が第1の位置で、把持部材４の回動規制部４ｃを摘み、矢印Ａの反対方向に回動させる。図５に示すように、把持部材４が正面側壁部３ａの上方から突出しない第２の位置まで回動させると、回動規制部４ｃの内側壁４ｄが本体ケースの外縁に当接してそれ以上回動しない。
【００１８】
上記した構成の血圧計の作用効果について説明する。
把持部材４を第１の位置と第２の位置とに回動させることができるため、血圧計を収納するときには、把持部材４を正面側壁部３ａから突出させないようにして狭いスペースに収納することができ、血圧計を持ち運ぶときには把持部材４を正面側壁部３ａから突出させて把持部材４を持って持ち運ぶことができる。また、正面側壁部３ａから背面側壁部３ｂに向かう方向に対して、略直交する方向に回動するため、カフ１をカフ収納部３に収納した状態で、把持部材４を第１の位置と第２の位置とに回動させることができる。
【００１９】
また、回動規制部４ｃにより、把持部材４の第１、第２の位置の位置決めが容易である。  また、背面側壁部３ｂが正面側壁部３ａより低いので、血圧計本体２の背面側では、背面側壁部３ｂの上方にカフ１が露出し、この露出する部分を持つことができ、カフを持ちやすくなるから、カフ１のカフ収納部３への出し入れが容易である。把持部材４の構成は簡単であり、また、平板部材で構成した把持部材４を正面側壁部３ａに密接しているので、把持部材４を設けても奥行きが厚くならない。また、把持部材４が、血圧計本体２の背面側の正面側壁部３ａに設けられ、第２の位置では把持部材４が正面側壁部３ａから突出しない位置になるため、把持部材が血圧計本体から突出した位置に固定された場合のにように、デザインが規制されることがなく、血圧計本体２を自由にデザインすることができる。
【実施例２】
【００２０】
図１０〜図１４は、本発明の実施例２に係わり、図１０は、血圧計の正面図、図１１は、血圧計の背面図、図１２は、把持部材が第１の位置における血圧計の背面図である。図１３は、把持部材の裏面図、図１４は、図１３の把持部材の矢印Ｅ側の側面図である。上述した実施例１と異なる点は、把持部材を直線的な往復移動をする構成にしたことである。図１１〜図１４において、把持部材８は、平板部材からなる略Ｔ字形状をしており、把持部材８が、図１１の矢印Ｂ方向と、その反対方向とに移動するための細長い案内穴８ｂが形成されている。把持部材８の上端外縁の一部には、厚み方向の裏面側に突出していて、把持機能を有するつまみ部８ａが形成されている。
【００２１】
前記カフ収納部３の正面側壁部３ａには、前記把持部材８に形成された案内穴８ｂに係合して把持部材８の上下方向の移動を案内するための２本の案内軸９ａ、９ｂが所定の間隔で配設されている。把持部材８の案内穴８ｂと案内軸９ａ、９ｂとにより、把持部材８が、正面側壁部３ａから背面側壁部３ｂに向かう方向と略直行する図１１の矢印Ｂ方向と、その反対方向とに移動することができる。図１１は、把持部材８が正面側壁部３ａより上方に突出していない第２の位置を示し、図１２は、把持部材８が正面側壁部３ａより上方に突出している第１の位置を示している。図１１の状態では、案内穴８ｂの辺８ｄに案
内軸９ａが当接して、把持部材８がそれ以上は下方には移動しない。また、図１２の状態では、案内穴８ｂの辺８ｃに案内軸９ｂが当接して、把持部材８が、それ以上、上方には移動しない。把持部材８の移動量は、案内穴８ｂの長さと案内軸９ａ，９ｂの位置とによって適宜設定可能である。第２の位置においては、把持部材８の平板状の平面と、正面側壁部３ａの平面とが密接する。
【００２２】
把持部材８を第２の位置から、第１の位置に移動するときは、図１１に示す把持部材８が第２の位置で、カフ１がカフ収納部３に収納されているままで、把持部材８のつまみ部８ａを摘み、矢印Ｂ方向に引出す。すると、把持部材８は、２本の案内軸９a、９ｂに案内されて上方に移動し、図１２に示すように案内軸９ｂに案内穴８ｂの辺８ｃが当接し、把持部材８が正面側壁部３ａの上方に突出する第１の位置に移動する。逆に、把持部材８を第１の位置から、第２の位置に移動するときは、図１２の状態から把持部材８を押込む。すると、把持部材８が２本の案内軸９a、９ｂに案内されて矢印Ｂの反対方向に移動し、案内穴８ｂの辺８ｄが案内軸９ａに当接し把持部材８が正面側壁部３ａの上方に突出しない第２の位置に移動する。
【００２３】
この実施例２も上述した実施例１と同様な作用効果を奏する。すなわち、把持部材８の第1，第２の位置への移動によって、血圧計の狭いスペースへの収納と、持ち運びのための把持とを両立させることができる。また、正面側壁部３ａから背面側壁部３ｂに向かう方向に対して略直行する方向に把持部材８を移動することにより、カフ１を収納した状態での把持部材８の第１と第２の位置との移動が可能である。また、案内軸９ａ，９ｂにより、把持部材８の第１，第２の位置への位置決めが容易である。また、背面側壁部３ｂが正面側壁部３ａより低いので、カフの取り出しが容易である。また、平板部材で構成した把持部材８は正面側壁部３ａに密接しているので、把持部材８を設けても奥行きが厚くならない。また、把持部材８が、血圧計本体２の背面側の正面側壁部３ａに設けられ、第２の位置では把持部材８が正面側壁部３ａから突出しない位置になるため、血圧計本体２を自由にデザインすることができる。
【００２４】
上記した実施例１と実施例２で説明したように、血圧計本体に一体に配設されているカフ収納部にカフを収納した状態で、把持部材を正面側壁部より突出した第１の位置と、突出しない第２の位置とを容易に移動することができる。把持部材が壁面に密接されコンパクトに収納されて邪魔にならない。従来のカフ収納部の着脱操作は不要になり、使用者に優しい血圧計を提供することができる。
【図面の簡単な説明】
【００２５】
【図１】本発明の実施例１に係わる血圧計の外観を示す斜視図である。
【図２】図１の血圧計の右側面図である。
【図３】図２の血圧計の断面図である。
【図４】図１の血圧計の正面図である。
【図５】図４の血圧計で把持部材が第２の位置における背面図である。
【図６】図４の血圧計で把持部材が第１の位置に移動した状態を示す正面図である。
【図７】図６の血圧計の背面図である。
【図８】図１の把持部材の裏面図である。
【図９】図８の把持部材の側面図である。
【図１０】本発明の実施例２に係わる血圧計の正面図である。
【図１１】図１０の血圧計で把持部材が第２の位置における背面図である。
【図１２】図１０の血圧計で把持部材が第１の位置に移動した状態を示す背面図である。
【図１３】把持部材の裏面図である。
【図１４】図１３の把持部材の側面図である。
【符号の説明】
【００２６】
１  カフ
２  血圧計本体
３  カフ収納部
３ａ  正面側壁部
３ｂ  背面側壁部
４、８  把持部材
４ｂ  貫通穴
４ｃ  回動規制部
５  表示部
６  操作部
７  回動軸
８ａ  移動規制部
８ｂ  案内穴
９ａ，９ｂ  案内軸
【図１】
2005323779.tif 000003
【図２】
2005323779.tif 000004
【図３】
2005323779.tif 000005
【図４】
2005323779.tif 000006
【図５】
2005323779.tif 000007
【図６】
2005323779.tif 000008
【図７】
2005323779.tif 000009
【図８】
2005323779.tif 000010
【図９】
2005323779.tif 000011
【図１０】
2005323779.tif 000012
【図１１】
2005323779.tif 000013
【図１２】
2005323779.tif 000014
【図１３】
2005323779.tif 000015
【図１４】
2005323779.tif 000016